(57)【要約】【課題】一の音声入力によって、使用者の特定及び使用者に応じた機器操作を行うことができ、利便性を向上させることができる画像読取装置を提供する。【解決手段】原稿を読み取って画像データを取得する画像読取装置に、音声が入力されるマイク１８と、マイク１８に入力された音声に基づいて使用者を特定する声紋認識部２２と、前記音声に基づいて処理の開始指示を認識する音声認識部２０と、音声認識部２０が開始指示を認識した場合、画像データを取得し、取得した画像データに対して使用者に応じた処理を行う画像処理手段とを備える。【選択図】図１
2008271047.tif 000002
【特許請求の範囲】
【請求項１】
原稿を読み取って画像データを取得する画像読取装置において、
音声が入力される音声入力手段と、
該音声入力手段に入力された音声に基づいて使用者を特定する使用者特定手段と、
前記音声に基づいて処理の開始指示を認識する音声認識手段と、
該音声認識手段が開始指示を認識した場合、画像データを取得し、取得した画像データに対して使用者に応じた処理を行う画像処理手段と
を備えることを特徴とする画像読取装置。
【請求項２】
複数の使用者及び画像データの記録先を対応付けた使用者情報を記憶する記憶手段と、
該記憶手段が記憶している使用者情報及び前記使用者特定手段の特定結果に基づいて画像データの記録先を特定する記録先特定手段と、
取得した画像データを、前記記録先特定手段が特定した記録先に記録する手段と
を備えることを特徴とする請求項１に記載の画像読取装置。
【請求項３】
原稿を読み取って画像データを取得する画像読取装置において、
指紋情報を取得する指紋情報取得手段と、
該指紋情報取得手段が取得した指紋情報に基づいて使用者を特定する使用者特定手段と、
前記指紋情報取得手段が前記指紋情報を取得した場合、画像データを取得し、取得した画像データに対して使用者に応じた処理を行う画像処理手段と
を備えることを特徴とする画像読取装置。
【請求項４】
複数の使用者及び画像データの記録先を対応付けた使用者情報を記憶する記憶手段と、
該記憶手段が記憶している使用者情報及び前記使用者特定手段の特定結果に基づいて画像データの記録先を特定する記録先特定手段と、
取得した画像データを、前記記録先特定手段が特定した記録先に記録する手段と
を備えることを特徴とする請求項３に記載の画像読取装置。
【請求項５】
前記指紋情報取得手段が表面に配された操作ボタンを備え、
前記操作ボタンが操作され、前記指紋情報取得手段が前記指紋情報を取得した場合、画像データを前記記録先特定手段が特定した記録先に記録するようにしてある
ことを特徴とする請求項４に記載の画像読取装置。
【発明の詳細な説明】
【技術分野】
【０００１】
本発明は、原稿を読み取って画像データを取得する画像読取装置に関する。
【背景技術】
【０００２】
光学スキャナで原稿を読み取って取得した画像データを、ネットワーク上の共有フォルダに保存するネットワークスキャナ機能を備えた複合機が実用化されている。ネットワークスキャナ機能により、紙情報を簡易に電子化し、電子化された画像データをネットワーク上で管理することができる。
【０００３】
一方、使用者の本人認証後に原稿を読み取り、画像データに承認情報や電子署名情報の付加を行うことができる複合機が提案されている（例えば、特許文献１）。本人認証は、パスワード入力、バイオメトリクス情報、例えば指紋、声紋等の個人識別情報を用いて行う。
特許文献１によれば、画像データを改ざんしたり、画像データの作成者として別の者がなりすましたりする等の不正使用を防ぐことができる。
【０００４】
また、読み取った原稿のフォーマット、例えば領収書、発注書を区別し、フォーマット毎に保存先を自動的に切り替えるように構成されたネットワーク文書管理システムが提案されている（例えば、特許文献２）。
特許文献２によれば、読み取った画像データの分類の手間を省くことができる。
【特許文献１】特開２００４−３４３２３６号公報
【特許文献２】特開２００６−２２９３０５号公報
【発明の開示】
【発明が解決しようとする課題】
【０００５】
しかしながら、特許文献１に係る画像読取装置においては、原稿のスキャン、ファクシミリ、コピー等の画像読取処理を実行する場合、使用者はまず認証操作を行い、次いで機器操作を行う必要があるため、少なくとも２以上の操作を強いられ、利便性が損なわれているという問題があった。
【０００６】
本人認証及び機器操作はその技術的目的が異なるため、この種の複合機においては一般に本人認証は機器操作を行う前に行う別個の処理であると認識されていたところ、本発明者は一の操作、例えば音声入力によって使用者の特定を行い、使用者に応じた特定の処理を実行することによって画像読取装置の利便性を向上させることができる点に着眼した。
【０００７】
本発明は斯かる事情に鑑みてなされたものであり、音声入力手段と、音声に基づいて使用者を特定する使用者特定手段と、音声を認識する音声認識手段とを備え、入力された一の音声で使用者特定手段及び音声認識手段が使用者の特定及び音声認識を行うように構成することにより、一の音声入力によって、使用者の特定及び使用者に応じた機器操作を行うことができ、利便性を向上させることができる画像読取装置を提供することを目的とする。
【０００８】
本発明の他の目的は、使用者と画像データの記録先を対応付けた使用者情報に基づいて画像データの記録先を特定し、特定された記録先に画像データを記録するように構成することにより、一の音声入力によって使用者を特定し、原稿を読み取って取得した画像データを、使用者に応じた記録先に記録することができる画像読取装置を提供することにある。
【０００９】
本発明の他の目的は、指紋情報を取得する指紋情報取得手段と、指紋情報に基づいて使用者を特定する使用者特定手段とを備え、指紋情報取得手段が指紋情報を取得した場合、使用者の特定及び使用者に応じた機器操作を行うように構成することにより、一の指紋認証操作によって使用者を特定及び使用者に応じた機器操作を行うことができ、利便性を向上させることができる画像読取装置を提供することにある。
【００１０】
本発明の他の目的は、使用者と画像データの記録先を対応付けた使用者情報に基づいて画像データの記録先を特定し、特定された記録先に画像データを記録するように構成することにより、一の指紋認証操作によって使用者を特定し、原稿を読み取って取得した画像データを、使用者に応じた記録先に記録することができる画像読取装置を提供することにある。
【００１１】
本発明の他の目的は、指紋情報取得手段を操作ボタンの表面に配し、指紋認証操作とともに操作ボタンが操作された場合、画像データを特定の記録先に記録するように構成することにより、一の操作によって使用者を特定及び使用者に応じた機器操作を行うことができ、更に使用者の特定のみを行うか、画像データの記録も同時に行うかを選択することができ、利便性を向上させることができる画像読取装置を提供することにある。
【課題を解決するための手段】
【００１２】
第１発明に係る画像読取装置は、原稿を読み取って画像データを取得する画像読取装置において、音声が入力される音声入力手段と、該音声入力手段に入力された音声に基づいて使用者を特定する使用者特定手段と、前記音声に基づいて処理の開始指示を認識する音声認識手段と、該音声認識手段が開始指示を認識した場合、画像データを取得し、取得した画像データに対して使用者に応じた処理を行う画像処理手段とを備えることを特徴とする。
【００１３】
第１発明にあっては、音声入力手段に入力された一の音声によって、使用者特定手段は画像読取装置の使用者を特定し、音声認識手段は音声の内容を認識する。音声認識手段が開始指示を認識した場合、画像読取装置は画像データを取得し、取得した画像データに対して使用者に応じた特定の処理を行う。
従って、使用者による一の音声入力によって、使用者を特定し、使用者に応じた特定の処理を実行することができ、画像読取装置の利便性が向上する。
【００１４】
第２発明に係る画像読取装置は、複数の使用者及び画像データの記録先を対応付けた使用者情報を記憶する記憶手段と、該記憶手段が記憶している使用者情報及び前記使用者特定手段の特定結果に基づいて画像データの記録先を特定する記録先特定手段と、取得した画像データを、前記記録先特定手段が特定した記録先に記録する手段とを備えることを特徴とする。
【００１５】
第２発明にあっては、記憶手段は複数の使用者と画像データの記録先とを対応付けた使用者情報を記憶する。記録先特定手段は、使用者特定手段の特定結果、つまり使用者特定手段が特定した使用者と、記憶手段が記憶している使用者情報とに基づいて、画像データの記録先を特定する。そして、画像読取装置は、原稿を読み取って取得した画像データを、記録先特定手段が特定した記録先に記録する。
従って、使用者による一の音声入力によって、原稿を読み取って画像データを取得し、取得した画像データを使用者に応じた特定の記録先に記録することができる。
【００１６】
第３発明に係る画像読取装置は、原稿を読み取って画像データを取得する画像読取装置において、指紋情報を取得する指紋情報取得手段と、該指紋情報取得手段が取得した指紋情報に基づいて使用者を特定する使用者特定手段と、前記指紋情報取得手段が前記指紋情報を取得した場合、画像データを取得し、取得した画像データに対して使用者に応じた処理を行う画像処理手段とを備えることを特徴とする。
【００１７】
第３発明にあっては、使用者による一の指紋認証操作、つまり指紋情報取得手段に指紋情報を取得させる操作によって、使用者特定手段は使用者を特定し、画像読取装置は、画像データを取得し、取得した画像データに対して使用者に応じた特定の処理を行う。
従って、使用者による一の指紋認証操作によって、使用者を特定し、使用者に応じた特定の処理を実行することができ、画像読取装置の利便性が向上する。
【００１８】
第４発明に係る画像読取装置は、複数の使用者及び画像データの記録先を対応付けた使用者情報を記憶する記憶手段と、該記憶手段が記憶している使用者情報及び前記使用者特定手段の特定結果に基づいて画像データの記録先を特定する記録先特定手段と、取得した画像データを、前記記録先特定手段が特定した記録先に記録する手段とを備えることを特徴とする。
【００１９】
第４発明にあっては、記憶手段は複数の使用者と画像データの記録先とを対応付けた使用者情報を記憶する。記録先特定手段は、使用者特定手段が特定した使用者と、記憶手段が記憶している使用者情報とに基づいて、画像データの記録先を特定する。そして、画像読取装置は、原稿を読み取って取得した画像データを、記録先特定手段が特定した記録先に記録する。
従って、使用者による一の指紋認証操作入力によって、原稿を読み取って画像データを取得し、取得した画像データを使用者に応じた特定の記録先に記録することができる。
【００２０】
第５発明に係る画像読取装置は、前記指紋情報取得手段が表面に配された操作ボタンを備え、前記操作ボタンが操作され、前記指紋情報取得手段が前記指紋情報を取得した場合、画像データを前記記録先特定手段が特定した記録先に記録するようにしてあることを特徴とする。
【００２１】
第５発明にあっては、指紋情報取得手段は操作ボタンの表面に配されている。使用者が指紋認証操作と同時に操作ボタンを操作した場合、画像読取装置は原稿を読み取り、画像データを記録先特定手段が特定した記録先に記録する。
【発明の効果】
【００２２】
第１発明によれば、一の音声入力によって使用者の特定及び使用者に応じた機器操作を行うことができ、画像読取装置の利便性を向上させることができる。
また、音声にて使用者の特定及び機器操作を行うことができるため、使用者の両手がふさがっているような場合であっても、使用者に応じた機器操作を行うことができる。
【００２３】
第２発明によれば、一の音声入力によって使用者を特定し、読み取って取得した画像データを使用者に応じた記録先へ自動的に記録することができ、利便性を向上させることができる。
【００２４】
第３発明によれば、一の指紋認証操作によって使用者の特定及び使用者に応じた機器操作を行うことができ、利便性を向上させることができる。
また、指紋認証にて使用者の特定及び機器操作を行うことができるため、騒音中であっても、使用者に応じた機器操作を行うことができる。
【００２５】
第４発明によれば、一の指紋認証操作によって使用者を特定し、読み取って取得した画像データを使用者に応じた記録先へ自動的に記録することができ、利便性を向上させることができる。
【００２６】
第５発明によれば、一の操作によって使用者を特定及び使用者に応じた機器操作を行うことができ、更に使用者の特定のみを行うか、画像データの記録も同時に行うかを選択することができ、利便性を向上させることができる。
【発明を実施するための最良の形態】
【００２７】
以下、本発明をその実施の形態を示す図面に基づいて詳述する。
（実施の形態１）  
図１は、本発明の実施の形態１に係る複合機１（画像読取装置）を備えたネットワークスキャナシステムの構成を示すブロック図である。本実施の形態に係る複合機１を備えたネットワークスキャナシステムは、ネットワークスキャナ機能、コピー機能等を有する複合機１と、通信端末装置３とから構成されており、複合機１及び通信端末装置３はＬＡＮ４を介して接続されている。
【００２８】
複合機１は、ＣＰＵを有する制御部１１、原稿を読み取り、原稿の画像データを取得する読取部１３、取得した画像データを一時的に蓄積する画像メモリ１６、及び画像メモリ１６に蓄積された画像データに基づいて、画像を用紙に形成、つまり印刷するプリンタ部１５を備えている。制御部１１は、バス２８を介して画像データの取得及び形成を制御することで、コピー機能を実現するように構成されている。
【００２９】
バス２８には、ＲＯＭ２１及びＲＡＭ２３が接続されている。ＲＯＭ２１は、フラッシュメモリからなり、複合機１の動作に必要な各種制御プログラムを格納している。制御部１１は、ＲＯＭ２１に格納されている制御プログラムをＲＡＭ２３に読み出して実行することにより、複合機１のネットワークスキャナ機能、コピー機能等の各種機能を実現する。
【００３０】
読取部１３は、原稿に光を照射する光源、原稿で反射された反射光を電気信号に変換するラインＣＣＤ等の光学素子を備えており、ラインＣＣＤが変換した電気信号に基づいて原稿の画像データを取得する。また、読取部１３は、取得した画像データに対して、シェーディング補正、ホワイトバランス補正等の各種画像処理を実行する画像処理部１３ａを備えている。そして、読取部１３は、画像処理された画像データを画像メモリ１６に与える。
【００３１】
プリンタ部１５は、感光ドラム、定着器等を備える電子写真方式のプリンタ装置であって、画像データに係る画像を用紙に形成する。
【００３２】
また、バス２８には、ネットワークスキャナ機能を実現するための記憶装置２４ａ、記憶装置コントローラ２４ｂ、及びＬＡＮインタフェース２７が接続されている。
【００３３】
記憶装置２４ａは、例えば不揮発性のハードディスクドライブである。記憶装置２４ａは、複数の使用者に夫々対応した複数の共有フォルダを用意し、各共有フォルダに読取部１３が読み取って取得した画像データを記録することができる。例えば、記憶装置２４ａは、一の使用者α用の共有フォルダＡ、他の使用者β用の共有フォルダＢを記憶している。共有フォルダＡには、使用者αが操作して取得した画像データＡ−１，Ａ−２が格納され、共有フォルダＢには、使用者βが操作して取得した画像データＢ−１，Ｂ−２が格納されている。また、記憶装置２４ａは、使用者を特定するための認証情報、例えば各使用者の声紋データ、パスワード等を記憶している。更に、記憶装置２４ａは使用者情報を記憶している。
【００３４】
図３は使用者情報の一例を示す模式図である。使用者情報は、使用者と、読取部１３で取得した画像データの記録先及び画像パラメータとを対応付けた情報である。画像パラメータは、読み取った画像に関する画像データの画質、解像度、カラー・単色の別、ファイル形式等を示す情報を有している。
例えば、図３に示すように、使用者αが取得した画像データの記録先としてフォルダＡ、使用者αの画質パラメータとして高画質、１２００ｄｐｉ、カラー、ＰＤＦ等が対応付けられている。他の使用者β，γについても同様である。
【００３５】
記憶装置コントローラ２４ｂは、制御部１１の制御に応じて、記憶装置２４ａに対する画像データの書き込み、画像データの読み出し等を行う。
【００３６】
ＬＡＮインタフェース２７には、ＬＡＮ４を介して通信端末装置３が接続されており、通信端末装置３からＬＡＮインタフェース２７を介して記憶装置２４ａの共有フォルダにアクセスできるように構成することにより、ネットワークスキャナ機能が実現されている。なお、複合機１及び通信端末装置３は、所定のファイル共有プロトコル、例えばＣＩＦＳ（Common Internet File System）にてファイルに関する情報、画像データを送受信することによって、画像データを共有している。
【００３７】
更にバス２８には、音声による開始指示を認識するためのマイク１８（音声入力手段）、増幅器１９、音声認識部２０、音声にて使用者を特定するための声紋認識部２２が接続されている。
【００３８】
マイク１８は、入力された音声をアナログ電気信号である音声信号に変換し、音声信号を増幅器１９へ出力する。
【００３９】
増幅器１９は、マイク１８から出力された音声信号を増幅し、増幅された音声信号を、音声認識部２０及び声紋認識部２２に夫々並行的に出力する。
【００４０】
音声認識部２０は、入力された音声信号に基づいて音声の内容を認識し、認識結果に基づいて、特定のコードデータを生成する。例えば、「スキャン」の音声を認識した場合、読取開始指示のコードデータを生成し、生成したコードデータをＲＡＭ２３に書き込む。
【００４１】
声紋認識部２２は、入力された音声信号に基づいて声紋を認識し、認識結果を示す声紋データをＲＡＭ２３に書き込む。
【００４２】
更にまた、バス２８にはファクシミリ通信により画像データを送受信するためのＮＣＵ（Network Control Unit）１２及びモデム１４、並びに送受信される画像データを所定の符号化方式、例えばＭＨ，ＭＲ，ＭＭＲ等の符号化方式に従って符号化及び復号化する符号化・復号化部２５が接続されており、制御部１１は、画像データの送受信、原稿の読み取り、画像形成を制御することで、ファクシミリ機能を実現する。
【００４３】
モデム１４は、バス２８に接続されており、公衆電話回線網（PSTN:Public Switched Telephone Network）から入力されたアナログの画像データをデジタルの画像データに復調し、また制御部１１の制御によってバス２８を介して画像メモリ１６から与えられた画像データをアナログの信号に変調する機能を備えている。
【００４４】
ＮＣＵ１２は、公衆電話回線網との回線５の閉結及び開放の動作を行うハードウェアであり、制御部１１の制御に応じてモデム１４とＰＳＴＮとを接続する。
【００４５】
符号化・復号化部２５は、制御部１１の制御に応じて、読取部１３が読み取った画像データを符号化して、符号化した画像データをモデム１４に与える。また、符号化・復号化部２５は、ファクシミリ通信にて受信した画像データを復号化して、画像メモリ１６に蓄える。
【００４６】
更にまた、バス２８には、複合機１を操作するための操作部２６、表示部１７、及び日時を計時する図示しない時計部等が接続されている。表示部１７は、複合機１の動作状態、複合機１を操作するためのソフトキーを表示する液晶ディスプレイを備えている。
【００４７】
操作部２６は、表示部１７に対向配置された抵抗膜方式、又は静電容量方式のタッチパネルを備え、表示部１７に表示されたソフトキーの操作を受け付け、制御部１１がタッチパネルの操作状態を検出することができるように構成されている。また、操作部２６は、押しボタン式のキー、例えば印刷する画像の部数を設定するためのテンキー、スタートキー、決定キー、リセットキー、機能キー等を備えている。
【００４８】
図２は、通信端末装置３の構成を示すブロック図である。
通信端末装置３は、例えばパーソナルコンピュータであり、タイマー機能を有する制御部３１、ＲＯＭ３２、ＲＡＭ３４、記憶装置３３、及びＬＡＮインタフェース３５を備えており、ＲＯＭ３２、ＲＡＭ３４、記憶装置３３、及びＬＡＮインタフェース３５は、バス３８を介して制御部３１に接続されている。通信端末装置３と、外部の複合機１とは、ＬＡＮ４を介して、各種データを送受信することができるように構成されている。
記憶装置３３は、例えばハードディスクであり、記憶装置３３は、ＬＡＮ４を介して複合機１の記憶装置２４ａから読み出した画像データを記憶することができる。ＲＯＭ３２及び記憶装置３３は、制御部３１の動作に必要なプログラムを記憶しており、制御部３１は、ＲＯＭ３２及び記憶装置３３が記憶しているプログラムをＲＡＭ３４に読み出して実行することにより、所定のファイル共有プロトコルによる画像データの共有、画像データの記憶、読出等に関する処理を実行するように構成されている。
【００４９】
更に、バス３８には、液晶ディスプレイ等の表示装置６が接続される第１インタフェース３６と、マウス、キーボード等の入力装置７が接続される第２インタフェース３７とが接続されている。
【００５０】
図４は、使用者の特定及び原稿の読み取りに係る処理手順を示すフローチャートである。
まず、制御部１１は、マイク１８に入力された音声に基づいて声紋認識部２２に声紋認識処理を実行させ、声紋データをＲＡＭ２３に記憶させる（ステップＳ１１）。そして、制御部１１は、先にマイク１８に入力された同一の音声に基づいて音声認識部２０に音声認識処理を実行させ、コードデータをＲＡＭ２３に記憶させる（ステップＳ１２）。ステップＳ１１及びステップＳ１２の処理を実行することにより、一の音声入力にて音声認識及び使用者の特定を行うことができる。
【００５１】
次いで、制御部１１は、ＲＡＭ２３が記憶したコードデータを参照して、読み取りの開始指示を認識したか否かを判定する（ステップＳ１３）。開始指示を認識していないと判定した場合（ステップＳ１３：ＮＯ）、使用者の特定及び原稿の読み取りに係る処理を終える。開始指示を認識したと判定した場合（ステップＳ１３：ＹＥＳ）、制御部１１は、読取部１３に原稿を読み取って画像データを取得させる（ステップＳ１４）。
【００５２】
そして、制御部１１は、ステップＳ１１の処理でＲＡＭ２３が記憶した声紋データと、記憶装置２４ａが予め記憶している各使用者の声紋データを照合することによって、使用者を特定する（ステップＳ１５）。
【００５３】
次いで、制御部１１は、使用者情報を記憶装置２４ａから読み出し（ステップＳ１６）、読み出した使用者情報と、ステップＳ１５で特定した使用者とに基づいて、使用者に応じた画像処理パラメータ及び記録先を特定する（ステップＳ１７）。例えば、使用者αが特定された場合、図３に示すように記録先としてフォルダＡが特定される。また、画質が高画質、解像度が１２００ｄｐｉ、カラー・単色の別がカラー、保存ファイル形式がＰＤＦであることを示す画像処理パラメータが特定される。
【００５４】
次いで、制御部１１は、取得した画像データに対して、ステップＳ１７で特定された画像処理パラメータにて画像処理を実行する（ステップＳ１８）。例えば、使用者αが特定されている場合、画像処理部１３ａは制御部１１の制御に従って、読み取られた画像データを、高画質カラーのＰＤＦファイルに変換する。
【００５５】
そして、制御部１１は、画像処理された画像データを、ステップＳ１７で特定された記録先に記録し（ステップＳ１９）、使用者の特定及び原稿の読み取りに係る処理を終える。例えば、使用者αが特定された場合、読取部１３で取得した画像データはフォルダＡに記録される。
【００５６】
実施の形態１に係る複合機１にあっては、一の音声入力によって、使用者を特定し、原稿の読取処理を開始し、原稿を読み取って取得した画像データを使用者に応じた特定のフォルダに記録することができ、複合機１の利便性を向上させることができる。
【００５７】
また、読み取った画像データを使用者に応じた特定の画質、解像度、ファイル形式で記憶装置２４ａの共有フォルダに記録することができる。更に、カラー・単色の別を選択することができ、利便性を向上させることができる。
例えば、使用者αがカラーの画像データを、使用者βが単色の画像データを頻繁に使用しているような場合、図３に示すような使用者情報を記憶装置２４ａに記録しておくと良い。使用者αが「スキャン」と発話した場合、カラーの画像データが自動的にフォルダＡに記録され、使用者βが「スキャン」と発話した場合、単色の画像データが自動的にフォルダＢに記録される。
【００５８】
更に、音声にて使用者の特定及び機器操作を行うことができるため、使用者の両手がふさがっているような場合であっても、使用者に応じた機器操作を行うことができる。
【００５９】
更にまた、複合機１の記憶装置２４ａに記録された画像データは、外部の通信端末装置３から読み出すことができる。
【００６０】
なお、実施の形態１にあっては、複合機が備えた記憶装置に共有フォルダを作成し、画像データを記録するように構成してある場合を説明したが、外部の通信端末装置の記憶装置に作成された共有フォルダに画像データを記録するように構成しても良い。
【００６１】
また、使用者の発話によって原稿の読み取り、記憶装置への記録処理を実行する場合を説明したが、使用者の発話によって原稿の読み取り、ファクシミリ送信、又はコピー処理を実行するように構成しても良い。
【００６２】
（実施の形態２）
図５は、本発明の実施の形態２に係る複合機２０１を備えたネットワークスキャナシステムの構成を示すブロック図である。実施の形態２に係る複合機２０１は、実施の形態１に係る複合機１と同様の制御部１１、ＮＣＵ１２、読取部１３、モデム１４、プリンタ部１５、画像メモリ１６、表示部１７、ＲＯＭ２１、ＲＡＭ２３、記憶装置２４ａ、記憶装置コントローラ２４ｂ、符号化・復号化部２５、操作部２６、ＬＡＮインタフェース２７、及びバス２８を備えている。
また、実施の形態２に係る複合機２０１は、マイク、声紋認識部及び音声認識部に代えて、指紋読取センサ２９（指紋情報取得手段）を備えている。
【００６３】
実施の形態２に係る複合機２０１は、指紋読取センサ２９の構成と、制御部１１の処理内容のみが実施の形態１に係る複合機１と異なるため、以下では主に上記相違点について説明する。
【００６４】
指紋読取センサ２９は、制御部１１の制御に応じて、使用者の指紋を読み取り、指紋情報を取得する。指紋情報は、例えば指紋の中心点、端点、三角州等の特徴を示す情報であり、取得された指紋情報はＲＡＭ２３に記憶される。
【００６５】
図６は、実施の形態２における使用者の特定及び原稿の読み取りに係る処理手順を示すフローチャートである。
まず、制御部１１は、指紋読取センサ２９に指紋情報を取得させる（ステップＳ３１）。そして、制御部１１は、指紋情報を取得できたか否かを判定する（ステップＳ３２）。指紋情報を取得できていないと判定した場合（ステップＳ３２：ＮＯ）、制御部１１は、使用者の特定及び原稿の読み取りに係る処理を終える。指紋情報を取得できたと判定した場合（ステップＳ３２：ＹＥＳ）、制御部１１は、読取部１３に原稿を読み取って画像データを取得させる（ステップＳ３３）。
【００６６】
そして、制御部１１は、ＲＡＭ２３が記憶した指紋情報と、記憶装置２４ａが予め記憶している使用者の指紋情報とを照合することによって、使用者を特定する（ステップＳ３４）。
【００６７】
以下、図４に示したステップＳ１６〜ステップＳ１９と同様、使用者に応じた画像処理及び記録に係るステップＳ３５〜ステップＳ３８の処理を実行する。
【００６８】
実施の形態２に係る複合機２０１にあっては、一の指紋認証操作によって、使用者を特定し、原稿の読取処理を開始し、原稿を読み取って取得した画像データを使用者に応じた特定のフォルダに記録することができ、複合機２０１の利便性を向上させることができる。
【００６９】
また、読み取った画像データを使用者に応じた特定の画質、解像度、ファイル形式で記憶装置２４ａのフォルダに記録することができる。更に、カラー・単色の別を選択することができる。
【００７０】
更に、指紋認証にて使用者の特定及び機器操作を行うことができるため、騒音中であっても、使用者に応じた機器操作を行うことができる。
【００７１】
実施の形態２に係る複合機２０１の他の構成、作用及び効果は、実施の形態１に係る複合機１の構成、作用及び効果と同様であるため、対応する箇所には同様の符号を付してその詳細な説明を省略する。
【００７２】
（実施の形態３）
本発明の実施の形態３に係る複合機３０１は、実施の形態２に係る複合機２０１と同様の制御部１１、ＮＣＵ１２、読取部１３、モデム１４、プリンタ部１５、画像メモリ１６、表示部１７、ＲＯＭ２１、ＲＡＭ２３、記憶装置２４ａ、記憶装置コントローラ２４ｂ、符号化・復号化部２５、操作部３２６、ＬＡＮインタフェース２７、指紋読取センサ２９及びバス２８を備えている。
【００７３】
図７は、操作部３２６の構成を示す模式図である。実施の形態３に係る複合機３０１は、操作部３２６の構成と、制御部１１の処理内容のみが実施の形態２に係る複合機２０１と異なるため、以下では主に上記相違点について説明する。
【００７４】
操作部３２６は、押しボタン式の決定ボタン２６ａ、リセットボタン２６ｂ、テンキー２６ｃ、機能キー２６ｄ、本発明に係る操作ボタン２６ｅ等を備えており、操作ボタン２６ｅの表面部分には指紋読取センサ２９が配設されている。
【００７５】
図８は、本発明の実施の形態３における使用者の特定及び原稿の読み取りに係る処理手順を示すフローチャートである。
【００７６】
まず、制御部１１は、指紋読取センサ２９に指紋情報を取得させる（ステップＳ５１）。そして、制御部１１は、指紋情報を取得できたか否かを判定する（ステップＳ５２）。指紋情報を取得できていないと判定した場合（ステップＳ５２：ＮＯ）、制御部１１は使用者の特定及び原稿の読み取りに係る処理を終える。指紋情報を取得できたと判定した場合（ステップＳ５２：ＹＥＳ）、制御部１１は、ＲＡＭ２３が記憶した指紋情報と、記憶装置２４ａが予め記憶している使用者の指紋情報とを照合することによって、使用者を特定する（ステップＳ５３）。
【００７７】
次いで、制御部１１は、ステップＳ５３で特定された使用者の使用者情報を記憶装置２４ａから読み出す（ステップＳ５４）。そして、制御部１１は、操作ボタン２６ｅがオン状態であるか否かを判定する（ステップＳ５５）。操作ボタン２６ｅがオン状態でないと判定した場合（ステップＳ５５：ＮＯ）、制御部１１は、処理を終える。以後、操作部３２６の他の操作状態を検出し、操作部３２６の操作に応じた処理を実行する。
【００７８】
操作ボタン２６ｅがオン状態であると判定した場合（ステップＳ５５：ＹＥＳ）、図４のステップＳ１６〜ステップＳ１９の処理と同様、使用者に応じた画像処理及び記録に係るステップＳ５６〜ステップＳ５９の処理を実行する。
【００７９】
実施の形態３に係る複合機３０１にあっては、使用者が指紋読取センサ２９を指で押圧することによって、指紋認証操作と同時に、操作ボタン２６ｅをオン状態にすることができる。この場合、複合機３０１は、使用者を特定し、原稿の読取処理を開始し、原稿を読み取って取得した画像データを使用者に応じた特定のフォルダに記録することができ、複合機３０１の利便性を向上させることができる。
【００８０】
また、操作ボタン２６ｅがオン状態にならないように、使用者が指紋読取センサ２９を軽く押圧した場合、使用者の特定及び使用者情報のみが読み出され、以後、操作部３２６の操作によって使用者に応じた任意の処理が実行される。
従って、使用者は、指紋読取センサ２９の押圧力を調節することによって、使用者の特定のみを実行するか、画像データを共有フォルダに記録する処理まで実行するかを選択することができ、利便性を向上させることができる。
【００８１】
実施の形態３に係る複合機３０１の他の構成、作用及び効果は、実施の形態１及び実施の形態２に係る複合機１，２０１の構成、作用及び効果と同様であるため、対応する箇所には同様の符号を付してその詳細な説明を省略する。
【図面の簡単な説明】
【００８２】
【図１】本発明の実施の形態に係る複合機を備えたネットワークスキャナシステムの構成を示すブロック図である。
【図２】通信端末装置の構成を示すブロック図である。
【図３】使用者情報の一例を示す模式図である。
【図４】使用者の特定及び原稿の読み取りに係る処理手順を示すフローチャートである。
【図５】本発明の実施の形態２に係る複合機を備えたネットワークスキャナシステムの構成を示すブロック図である。
【図６】実施の形態２における使用者の特定及び原稿の読み取りに係る処理手順を示すフローチャートである。
【図７】操作部の構成を示す模式図である。
【図８】本発明の実施の形態３における使用者の特定及び原稿の読み取りに係る処理手順を示すフローチャートである。
【符号の説明】
【００８３】
１  複合機
３  通信端末装置
４  ＬＡＮ
５  回線
６  表示装置
７  入力装置
１１  制御部
１２  ＮＣＵ
１３  読取部
１３ａ  画像処理部
１４  モデム
１５  プリンタ部
１６  画像メモリ
１７  表示部
１８  マイク
１９  増幅器
２０  音声認識部
２２  声紋認識部
２４ａ  記憶装置
２４ｂ  記憶装置コントローラ
２５  符号化・復号化部
２６  操作部
２６ｅ  操作ボタン
２７  ＬＡＮインタフェース
２８  バス
３１  制御部
３３  記憶装置
３５  ＬＡＮインタフェース
３８  バス
【図１】
2008271047.tif 000003
【図２】
2008271047.tif 000004
【図３】
2008271047.tif 000005
【図４】
2008271047.tif 000006
【図５】
2008271047.tif 000007
【図６】
2008271047.tif 000008
【図７】
2008271047.tif 000009
【図８】
2008271047.tif 000010